(57)【特許請求の範囲】
【請求項１】
（１）（ａ）基材と、
（ｂ）その基材の片側表面上の一部領域に設けた剥離剤層と、
（ｃ）前記基材の前記片側表面上に、前記剥離剤層を覆っている剥離性部分と、前記剥離剤層を覆っていない非剥離性部分との両方に実質的にまたがるように設けた切断検知用回路と、
（ｄ）前記切断検知用回路を覆いながら前記基材の前記片側表面上に設けた接着剤層と
を有する、電波により応答不可能な位置に貼付された切断検知ラベル、
（２）パネル基材の片面にアンテナ回路を設け、検知装置と交信するアンテナパネルであって、電波による応答可能な位置に設置された前記アンテナパネル及び
（３）前記の切断検知用回路と前記のアンテナ回路とを接続するリード線
を有することを特徴とする、開封検知器。
【請求項２】
前記切断検知用回路、又は前記アンテナ回路に、管理履歴が入力されるメモリー部を有することを特徴とする請求項１に記載の開封検知器。
【請求項３】
前記切断検知用回路が前記接着剤層から露出している接続用端部を有し、前記アンテナ回路がパネル基材より露出している接続用端部を有することを特徴とする請求項１又は２に記載の開封検知器。
【請求項４】
（１）請求項１〜３のいずれかに記載の切断検知ラベルを、封印可能な開閉部を有する筐体の前記開閉部であって、電波により応答不可能な位置に貼付する工程、
（２）請求項１〜３のいずれかに記載のアンテナパネルを、電波による応答可能な位置に設置する工程、及び
（３）前記切断検知用回路と前記アンテナ回路をリード線で接続する工程
を任意の順序で実施した後、
（４）前記切断検知ラベルにおける前記切断検知用回路の切断の有無を、前記アンテナパネルとの電波による応答によって検知する
ことを特徴とする、開封検知方法。
【発明の詳細な説明】
【０００１】
【発明の属する技術分野】
本発明は、開封検知器及び開封検知方法に関する。本発明による開封検知器及び開封検知方法によれば、シールした箱が開封されたか、あるいは封印されたままであるかを、その箱から離れ、電波による応答可能な場所に設置したパネルとの非接触状態での電波交信により、簡単な操作で検知することができるので、シールした箱の内部に保存されているＲＯＭなどのデータ改ざんやＲＯＭ交換などの不正行為を有効に防止することができる。
【０００２】
【従来の技術】
近年、パチンコ遊技機の出玉制御にはＲＯＭなどの電子部品が使用されているために、不正にＲＯＭのデータを改ざんする行為やＲＯＭを交換する行為などが行われる。こうした不正行為の実行を困難にするために、ＲＯＭなどの主要な部品やそれらの電子部品を実装した基板を、パチンコ遊技機内部のＲＯＭ収納ケース内に入れ、ＲＯＭ収納ケースの蓋を封印シールで封印することが行われている。それでも、人目に触れないようにパチンコ遊技機前面の遊技盤を開き、封印シールを剥がしてＲＯＭのデータ改ざんやＲＯＭ交換が行われてしまうと、その確認には遊技盤を開いて封印シールの状態を調べる必要があるため、極めて煩雑であった。
そこで、封印シールの開封行為を簡単に発見することが可能なシステムが求められ、電気的確認が可能な手段が種々提案されている。
例えば、特開２０００−１２２５５２号公報には、不正剥離によって破壊される回路を含む封印シールが記載されている。しかしながら、この封印シールでは、各パチンコ遊技機の電気回路をそれぞれ電気的検知器に接続しておく必要があり、検知システムの構成全体が大規模になり、設置コストが高くなる。
また、特開２０００−５７２９２号公報には、不正剥離の検知が可能な非接触データキャリアラベルが提案されている。この非接触データキャリアラベルを封印シールとして利用し、パチンコ遊技機の正面からインテロゲータ（質問器）によって、封印シールの開封の有無を非接触状態で確認するシステムも考えられる。しかしながら、パチンコ遊技機はその内部に多くの金属部品を含んでいるため、データキャリアとしての封印シールとインテロゲータ（質問器）との正確な交信が困難であり、正確な交信を行うためには遊技者がプレイ中であればそのプレイを止めて、パチンコ遊技機前面の遊技盤を開けて確認する必要があった。
【０００３】
【発明が解決しようとする課題】
従って、本発明の課題は、パチンコ遊技機などの遊技機の内部に設置するＲＯＭ収納ケースに貼付される封印シールの開封行為の有無を遊技者のプレイを妨げることなく非接触状態で確認することができる簡易なシステムを提供することにある。
【０００４】
【課題を解決するための手段】
前記の課題は、本発明による
（１）（ａ）基材と、
（ｂ）その基材の片側表面上の一部領域に設けた剥離剤層と、
（ｃ）前記基材の前記片側表面上に、前記剥離剤層を覆っている剥離性部分と、前記剥離剤層を覆っていない非剥離性部分との両方に実質的にまたがるように設けた切断検知用回路と、
（ｄ）前記切断検知用回路を覆いながら前記基材の前記片側表面上に設けた接着剤層と
を有する切断検知ラベル、
（２）パネル基材の片面にアンテナ回路を設けたアンテナパネル、及び
（３）前記の切断検知用回路と前記のアンテナ回路とを接続するリード線
を有することを特徴とする、開封検知器によって解決することができる。
本発明による開封検知器の好ましい態様においては、前記切断検知用回路、又は前記アンテナ回路にメモリー部を有する。
本発明による開封検知器の別の好ましい態様においては、前記切断検知用回路が前記接着剤層から露出している接続用端部を有し、前記アンテナ回路がパネル基材より露出している接続用端部を有する。
また、本発明は、
（１）前記の切断検知ラベルを、封印可能な開閉部を有する筐体の前記開閉部に貼付する工程、
（２）前記のアンテナパネルを、電波による応答可能な位置に設置する工程、及び
（３）前記切断検知用回路と前記アンテナ回路をリード線で接続する工程
を任意の順序で実施した後、
（４）前記切断検知ラベルにおける前記切断検知用回路の切断の有無を、前記アンテナパネルとの電波による応答によって検知する
ことを特徴とする、開封検知方法にも関する。
【０００５】
【発明の実施の形態】
以下、添付図面に沿って本発明の種々の態様を順に説明する。
本発明による開封検知器は、前記のように、切断検知ラベル、アンテナパネル、及びその切断検知ラベルとアンテナパネルとを接続するリード線を含む。図１は、本発明による開封検知器をパチンコ遊技機６に設置した状態を、パチンコ遊技機６の側面の一部を切り欠いて模式的に示す側断面図である。一般的に、パチンコ遊技機６は、開閉自在に設けた遊技盤６１の裏側などにＲＯＭ収納ケース６２を設置し、遊技者が対面する正面には、ガラス扉６３や打球供給皿６４、及び操作ハンドル６５が設置されている。本発明による開封検知器の前記切断検知ラベル１を、前記のＲＯＭ収納ケース６２の封印可能な開閉部に貼付し、前記アンテナパネル２をパチンコ遊技機６の内側で電波による応答可能な位置に取り付け、前記切断検知ラベル１と前記アンテナパネル２とを、リード線３で接続することができる。
【０００６】
図２は、本発明において使用する切断検知ラベル１を剥離シート（図示せず）から剥離した後、被着体であるＲＯＭ収納ケース６２の表面に貼付した状態を示す断面図である。本発明で用いる切断検知ラベル１は、図２に示すように、
（ａ）基材１２、
（ｂ）その基材１２の片側表面１２ａ上の一部領域に設けた剥離剤層１３、
（ｃ）前記剥離剤層１３を覆いながら前記基材１２の前記片側表面１２ａ上に設けた接着剤層１４、及び
（ｄ）その接着剤層１４において、前記剥離剤層１３を覆っている剥離性部分１４ａと、前記剥離剤層１３を覆っていない非剥離性部分１４ｂとの両方に実質的にまたがるように、前記接着剤層１４の内部に包埋される切断検知用回路１５を設けることができる。あるいは、前記切断検知用回路１５を基材１２の剥離性部分１４ａと非剥離性部分１４ｂに直接接触させた状態に設けてもよい。また、前記検知用回路１５の接続用端部１６を前記接着剤層から露出させると、リード線との接続が容易となるので好ましい。
【０００７】
基材１２は、図２に示すように、剥離剤層１３及び接着剤層１４の支持体であると共に、本発明の切断検知ラベル１を、例えば、ＲＯＭ収納ケース６２の開閉部６２ａを封印するように貼付した場合に、切断検知用回路の保護層として作用する。この基材１２は、その片側表面（剥離剤層−接着剤層設置面）１２ａ上の一部領域のみに基材１２と剥離剤層１３の界面から剥離容易な剥離剤層１３を設ける。また、この基材１２の片側表面１２ａには、剥離剤層１３の全体を完全に覆う接着剤層１４が設けられている。従って、基材１２の片側表面１２ａは、剥離剤層１３と接触している剥離性領域と、接着剤層１４の接着剤と接触している非剥離性領域とからなる。基材１２の片側表面１２ａが、剥離性に関して前記のような２つの領域に区分されるので、基材１２の片側表面１２ａ上に設けられている接着剤層１４も、それらの剥離性領域及び非剥離性領域に対応して、それぞれ剥離性部分１４ａと非剥離性部分１４ｂとに区分される。
【０００８】
図２に示すようにＲＯＭ収納ケース６２に貼付した切断検知ラベル１を、ＲＯＭ収納ケース６２の表面から剥離するために力を加えると、剥離性部分１４ａでは、基材１２の片側表面１２ａと剥離剤層１３との界面で簡単に剥離が起きる（なお、ＲＯＭ収納ケース６２の表面から無理に剥離するこうした行為を、以下に「不正剥離」と称することがある）。一方、前記非剥離性部分１４ｂでは、接着剤層１４とＲＯＭ収納ケース６２の表面との界面で剥離が起きる。従って、切断検知ラベル１を、ＲＯＭ収納ケース６２の表面から剥離すると、接着剤層１４の剥離性部分１４ａはＲＯＭ収納ケース６２の表面側に残り、非剥離性部分１４ｂは前記基材１２の表面側に残るので、接着剤層１４が切断される。その結果、接着剤層１４の内部に包埋されている切断検知用回路１５も切断される。こうして切断検知用回路１５が切断された切断検知ラベル１を、再度同じ箇所に貼付して切断検知用回路１５を再度接続させることは実際的に不可能であるため、前記の不正剥離操作によって、回路としての機能を完全に破壊される。
【０００９】
また、基材１２に、接着剤層１４と剥離剤層１３との界面からの剥離が容易な剥離剤層１３を設けることにより、前記の不正剥離の際に、剥離剤層１３と接着剤層１４との界面で剥離を起こすこともできる。この場合も、接着剤層１４の非剥離性部分１４ｂでは、接着剤層１４とＲＯＭ収納ケース６２の表面との界面で剥離が起きるので、切断検知用回路１５は破壊される。
【００１０】
本発明による切断検知ラベル１においては、不正剥離が行われた場合に、そのことを視覚的に識別可能にするために、視覚的確認手段を設けることもできる。例えば、透明又は半透明の基材１２の片側表面１２ａ上の一部領域に透明又は半透明の剥離剤層１３を設けた後、その剥離剤層１３の上に接着剤層１４を設ける前に、前記の剥離剤層１３を完全に覆うと共に前記基材１２の前記片側表面１２ａの全面を覆う印刷インキ層あるいは金属蒸着膜を設け、その後で、前記印刷インキ層あるいは金属蒸着膜の全面に接着剤層１４を設けることができる。こうした印刷インキ層あるいは金属蒸着膜を有する切断検知ラベル１をＲＯＭ収納ケース６２の表面に貼付した後に不正剥離を行うと、前記印刷インキ層あるいは金属蒸着膜が基材１２側とＲＯＭ収納ケース６２側とに分離され、こうして分離された両者を貼付し再現することは不可能なので、不正剥離を視覚的に識別することができる。このような視覚的確認手段としては、その他の公知の手段を適宜利用することができる。
【００１１】
本発明で用いる切断検知ラベル１に用いることのできる基材１２を構成する材料は、剥離剤層１３などの支持体であると共に、切断検知用回路１５の保護層として作用することのできる材料である限り、特に限定されず、例えば、紙、天然若しくは合成繊維材料の織編物布や不織布、合成樹脂からなるフィルム若しくはシート、あるいはそれらの積層材であることができる。前記合成樹脂としては、ポリエチレン、ポリプロピレン、ポリ塩化ビニル、ポリスチレン、ポリエステル、ポリウレタン、ポリ酢酸ビニル、ポリブテン、ポリアクリル酸、ポリメタクリル酸、ポリアクリル酸エステル、ポリメタクリル酸エステル、ポリビニルアルコール、ポリビニルホルマール、ポリビニルブチラール、ポリアクリロニトリル、ポリイミド、ポリカーボネート、ポリアミド、エチレン−酢酸ビニル共重合体、エチレン−アクリル酸エステル共重合体、ポリビニルアセタール、エチルセルロース、トリ酢酸セルロース、ヒドロキシプロピルセルロース、又はアクリロニトリルブタジエンスチレン共重合体などの各種樹脂を挙げることができる。
また、発泡ポリウレタン樹脂、発泡ポリエステル樹脂、発泡ポリエチレン樹脂、発泡ポリプロピレン、発泡ポリエチレン・エチレン酢酸ビニル共重合体等の発泡フィルムも挙げられる。
【００１２】
本発明で用いる切断検知ラベル１において、基材１２に設ける剥離剤層１３は、公知の剥離性樹脂を塗布して形成することができる。剥離性樹脂としては、例えば、シリコーン樹脂、ポリアミド樹脂、ワックス、（メタ）アクリル酸高級アルコールエステル、又は高級脂肪酸エステル等を挙げることができる。基材１２に対する剥離処理のパターンは、切断検知用回路１５が切断可能な形状である限り特に限定されるものではないが、剥離性樹脂の領域を基材１２表面上の単数箇所又は複数箇所に、例えば、ストライプ状や水玉状に形成することができる。
【００１３】
本発明で用いる切断検知ラベル１の切断検知用回路１５は、導電性インク、あるいは、銅やアルミニウム等の電気伝導性金属の蒸着膜や金属箔等の金属薄膜を用いることができる。
【００１４】
本発明で用いる切断検知ラベル１において、接着剤層１４を構成する接着剤としては、通常の公知の接着剤、すなわち、通常の公知の感圧性接着剤、又は感熱性接着剤を用いることができる。具体的には、アクリル系樹脂、ウレタン樹脂、天然ゴム、合成ゴム、シリコーン樹脂、ポリオレフィン樹脂、ポリエステル樹脂、又はエチレン−酢酸ビニル共重合体等を主成分とする感圧性あるいは感熱性接着剤；あるいは、エポキシ樹脂、フェノール樹脂、メラミン樹脂、アルキッド樹脂、イソシアナート化合物、又は、水酸基やグリシジル基、不飽和結合等を含有する低分子アクリル化合物やビニル化合物等の硬化成分を含み、熱、紫外線若しくは電子線等で硬化する硬化型接着剤を挙げることができる。
更に必要に応じて、接着剤の接着力を向上させる目的で、粘着付与剤を添加することができる。粘着付与剤は特に限定されず、例えば、ロジン、テルペン、フェノール、又はキシレン樹脂などを挙げることができる。また、光吸収剤、熱安定剤、柔軟剤又はフィラーなどを添加することができる。
【００１５】
図３は、本発明において使用するアンテナパネル２の一形態を示す断面図である。本発明で用いるアンテナパネル２は、図３に示すように、
（ａ）第１パネル基材２２、
（ｂ）その第１パネル基材２２の片側表面上に設けた接着剤層２４、
（ｃ）その接着剤層２４の上に更に設けた第２パネル基材２７、及び
（ｄ）前記接着剤層２４の内部に包埋されるアンテナ回路２５
を含むことができる。また、前記アンテナ回路２５の接続用端部２６を接着剤層から露出させることができる。なお、図３に示す態様のアンテナパネル２を、以下に、カード型アンテナパネルと称し、前記第２パネル基材２７を設けていない態様のアンテナパネル２を接着ラベル型アンテナパネルと称する。
【００１６】
本発明で用いるアンテナパネル２に用いることのできる第１パネル基材２２及び第２パネル基材２７を構成する材料は、接着剤層２４などの支持体であると共に、表面保護層として作用することのできる材料である限り、特に限定されず、切断検知ラベル１の基材１２として用いることのできる材料をそのまま用いることができる。
【００１７】
本発明で用いるアンテナパネル２のアンテナ回路２５は、第１パネル基材表面２２に、例えば、導電性インクをスクリーン印刷等の手段を用いて印刷することにより、あるいは、銅やアルミニウム等の電気伝導性金属の蒸着膜や金属箔等の金属薄層を設けることにより形成することができる。
【００１８】
本発明で用いるアンテナパネル２において、前記接着剤層２４を構成する接着剤としては特に制限がなく、前記切断検知ラベル１の接着剤と同様の接着剤を用いることができる。
【００１９】
図４は、本発明のアンテナパネル２に含まれているアンテナ回路２５の回路配置を示す模式図で、ＩＣチップのメモリー部７１、及び絶縁インクを塗布した後に、例えば、銀インキを印刷して形成されたジャンパ部７２が示されており、このアンテナ回路２５により電磁波を介して回路自身の存在の検知、若しくは回路に記憶されたデータの交信を行うことができる。このアンテナ回路２５は、その接続用端部２６にてリード線３と接合し、更にリード線３を介して切断検知用回路１５と連絡している。
【００２０】
本発明の開封検知器で切断検知用回路１５とアンテナ回路２５とを接続するリード線３は、導電性を有する限り特に限定されず、例えば、金線又は銅線などの金属線あるいはポリエチレンやポリエチレンテレフタレートなどのフィルムに前記切断検知用回路１５で用いた導電性インキを印刷したものなどが挙げられる。また、リード線３を切断検知用回路１５やアンテナ回路２５に接続する方法は特に限定されず、ハンダ付やリード線の端部に設けたクリップタイプなど公知の接続端子で、切断検知用回路１５の接続用端部１６及びアンテナ回路２５の接続用端部２６に接続させることができる。
このようにリード線３で接続することにより開封検知器は切断検知用回路１５とアンテナ回路２５を含むサーキットを形成することができる。
【００２１】
従って、切断検知ラベル１に含まれている切断検知用回路１５が破壊されていない場合には、適当な検知装置５（図１参照）から特定周波数の電波を送信すると、その信号に応答する返信信号を発信することができ、切断検知用回路１５が破壊されていないことを確認することができる。また、切断検知ラベル１に含まれている切断検知用回路１５が破壊されている場合には、検知装置５から特定周波数の電波を送信しても、その信号に応答する返信信号を発信しないので、切断検知用回路１５が破壊されていることを確認することができる。
【００２２】
本発明の開封検知器は、前記切断検知用回路１５、及び／又は前記アンテナ回路２５と接続するメモリー部７１（例えば、ＩＣチップ）を更に含み、非接触データキャリアを形成していることが好ましい。本発明の開封検知器がメモリー部７１を含む場合には、個々の開封検知器に対して調査日や調査した人などの管理履歴の記録を入力し、不正剥離行為が行われた場合の追跡調査を容易化することができる。
【００２３】
本発明の開封検知器で用いる切断検知ラベル１は、種々の方法で製造することができる。例えば、基材１２の片側表面１２ａの一部領域に剥離剤を塗布し、乾燥させて剥離剤層１３を形成し、続いて、接着剤層を用いて電気伝導性金属箔を積層し、エッチングにより切断検知用回路１５を形成した後、別途ポリエチレンやポリエチレンテレフタレート等の剥離シート基材に、例えば、シリコーン樹脂による剥離層を設けた剥離シートの剥離面に接着剤層を設け、その接着剤層を前記切断検知用回路１５に貼着することにより剥離シート付の切断検知ラベル１を形成することができる。また、メモリー部７１を設ける場合は前記切断検知用回路１５を形成した後、その回路１５にメモリー部７１を接続させる。
【００２４】
更に、切断検知用回路１５をあらかじめ合成樹脂シート中に埋没させておくか、又は、切断検知用回路１５を、あらかじめシートに貼着した切断検知用回路１５を含む積層体シートとして作成しておき、一方で、基材１２の片側表面１２ａの一部領域に剥離剤層１３を設けた後で、その上から接着剤を塗布し、前記の切断検知用回路１５を埋没させた合成樹脂シート又は前記積層体シートを貼合した後、更にその上から接着剤を塗布させることによって切断検知ラベル１を形成することもできる。
【００２５】
更にまた、本発明で用いる切断検知ラベル１を製造するには、例えば、基材１２の片側表面１２ａの一部領域に剥離剤層１３を印刷した後で、切断検知用回路１５を導電性インキで印刷加工して形成し、更にその上から接着剤を塗布して切断検知ラベル１を形成することもできる。
【００２６】
本発明で用いるアンテナパネル２も、回路に関して切断検知用回路１５とアンテナ回路２５との差異はあるものの、前記切断検知ラベル１と同様の方法で製造すれば剥離シート付の接着型アンテナパネルを製造することができる。また、前記切断検知ラベル１の製造で用いた剥離シートの代わりに第２パネル基材２７を使用することによりカード型アンテナパネルを製造することができる。
【００２７】
本発明による開封検知器及び開封検知方法は、開閉部を有する任意の筐体（特には、遊技機の電子部品収納ケース）の封印に用いることができる。遊技機としては、パチンコ遊技機、スロットマシンなどを挙げることができる。
【００２８】
【実施例】
以下、実施例によって本発明を具体的に説明するが、これらは本発明の範囲を限定するものではない。
【実施例１】
本実施例１では、図２に示す態様の切断検知ラベル１と、図３に示す態様のカード型アンテナパネル２と、リード線３とを含む本発明の開封検知器を作成した。
（１）切断検知ラベルの作成
基材１２としてのポリエチレンテレフタレートフィルム（東レ株式会社製；商品名ルミラー  Ｓ−１０：縦６ｃｍ，横９ｃｍ，厚さ５０μｍ）の片側表面１２ａ上において、縦６ｃｍ及び横幅１ｃｍの剥離性部分をその縦側の端部の１ｃｍ内側の部分から１ｃｍ間隔で４カ所、スクリーン印刷で剥離性樹脂としてシリコーン樹脂を乾燥後の厚さが１μｍとなるように塗布し、１４０℃の恒温槽に１分間入れ、硬化させて剥離剤層１３を形成した。この上に、アクリル系感圧性接着剤（リンテック株式会社製；商品名ＰＡ−Ｔ１）を、ドクターブレードによって塗布し、１００℃の恒温槽に１０分間投入し、乾燥させた。このフィルムに塗布された前記感圧性接着剤の厚さは２０μｍであった。続いて、横が９ｃｍで縦が２ｃｍの長方形の３辺（２長辺と１短辺）からなるコの字形の銅箔（幅５００μｍ；厚さ２０μｍ）を、基材１２の前記感圧性接着剤面に貼合し、切断検知用回路１５を形成した。このとき、前記のコの字形の銅箔の両端部はシートから５ｍｍ露出させて、接続用端部１６とした。
一方、片面をシリコーン樹脂により剥離処理した前記ポリエチレンテレフタレートフィルム（縦６ｃｍ，横９ｃｍ，厚さ５０μｍ）上に、前記アクリル系感圧性接着剤をドクターブレードによって塗布し、１００℃の恒温槽に１０分間投入し、乾燥させた。この剥離フィルムに塗布された前記感圧性接着剤の厚さは２０μｍであった。この剥離フィルムの前記感圧性接着剤面と、先に調製した回路載置フィルム上の切断検知用回路面とを貼合し、剥離シートに貼付した状態の切断検知ラベル１を製造した。
【００２９】
（２）カード型アンテナパネルの作成
実施例１（１）で用いた前記ポリエチレンテレフタレートフィルム（縦５ｃｍ，横６ｃｍ，厚さ５０μｍ）からなる第１パネル基材２２の片側表面上に、ポリエステル系感熱性接着剤（東洋紡績株式会社製；商品名バイロンＳＳ）（厚さ２０μｍ）で銅箔（縦５ｃｍ，横６ｃｍ，厚さ３５μｍ）を貼り合わせた後に、スクリーン印刷によって銅箔上にエッチングレジストインクをアンテナ回路状に印刷し、エッチング、及びレジストインク剥離工程を行って、アンテナ回路２５を作成した。
続いて、アンテナ回路２５のジャンパ部７２に絶縁インクを印刷した後、絶縁インク上に銀インキを印刷してジャンパ回路を形成した。
一方、第２パネル基材２７としての発泡ポリエステルフィルム（東洋紡績株式会社製；商品名Ｇ２３２３：縦５ｃｍ，横５ｃｍ，厚さ３８μｍ）に、実施例１（１）で用いた前記アクリル系感圧性接着剤（厚さ２０μｍ）を塗布した接着シートを用意して前記アンテナ回路に貼付して、カード型アンテナパネル２を作成した。前記接着シートは第１パネル基材２２より横が１ｃｍ短いため、アンテナ回路２５の端部を露出させることができ、その部分を接続用端部２６とした。
【００３０】
（３）開封検知器の作成
前記実施例１（１）で作成した切断検知ラベル１の接続用端部１６と、前記実施例１（２）で作成したカード型アンテナパネル２の接続用端部２６とを、銅線にクリップタイプの接続端子を設けたリード線３で接続して、本発明による開封検知器を作成した。
【００３１】
（４）応答試験
前記実施例１（１）において作成した本発明による開封検知器の切断検知ラベル１から剥離シートを剥がし、パチンコ遊技機６のＲＯＭ収納ケース６２の開閉部６２ａを封印するように貼付した。続いて、前記実施例１（２）において作成した本発明による開封検知器のカード型アンテナパネル２をパチンコ遊技機６の前面内側に設けたパネル挿入部に挿入した。切断検知ラベル１の剥離操作を行う前に、パチンコ遊技機６の前面からカード型アンテナパネル２に対して非接触応答試験を１０回行ったところ、全１０回とも正常に応答を行うことを確認した。
【００３２】
（５）不正剥離試験
前記実施例１（４）の応答試験を実施した後、切断検知ラベル１の剥離操作を行って、切断検知用回路１５を切断し、遊技盤６１を閉鎖してから、パチンコ遊技機６の前面内側に配置してあるカード型アンテナパネル２に対して非接触応答試験を１０回行ったところ、全１０回とも、応答を行うことはできなかった。
【００３３】
【実施例２】
本実施例２では、図２に示す態様の切断検知ラベル１と、図３及び図４に示す態様のメモリー部７１を有するカード型アンテナパネル２と、リード線３とを含む本発明の開封検知器を作成した。
（１）切断検知ラベルの作成
前記実施例１（１）で作成した切断検知ラベル１を用いた。
【００３４】
（２）メモリー部を有するカード型アンテナパネルの作成
前記実施例１（２）で第２パネル基材２７として用いた発泡ポリエステルフィルムの粘着シートを貼付する前に、図４に示すようにアンテナ回路２５のジャンパ部７２の手前にメモリー部７１として非接触データキャリア用ＩＣチップ（フィリップス株式会社製；商品名Ｉ−ＣＯＤＥ）をフリップチップ実装法により回路に接合したこと以外は実施例１（２）と同様にしてメモリー部７１を有するカード型アンテナパネル２を作成した。
【００３５】
（３）開封検知器の作成
前記実施例２（１）で作成した切断検知ラベル１の接続用端部１６と、前記実施例２（２）で作成したメモリー部７１を有するカード型アンテナパネル２の接続用端部２６とを、銅線にクリップタイプ接続端子を設けたリード線３で接続して、本発明による開封検知器を作成した。
【００３６】
（４）応答試験
前記実施例２（１）において作成した本発明による開封検知器の切断検知ラベル１から剥離シートを剥がし、パチンコ遊技機６のＲＯＭ収納ケース６２の開閉部６２ａを封印するように貼付した。続いて、前記実施例２（２）において作成した本発明による開封検知器のメモリー部７１を有するカード型アンテナパネル２をパチンコ遊技機６の前面内側に設けたパネル挿入部に挿入した。パチンコ遊技機６の前面からこのカード型アンテナパネル２に対して非接触応答試験を１０回行ったところ、全１０回とも正常に応答を行うことを確認した。また、貼付日時と検査した人のコード番号の入力及び読み出し試験を実施したところ、正確に入力及び読み出しが行われていることを確認した。更に、交信履歴の入力及び読み出し試験を実施したところ、正確に入力及び読み出しが行われていることを確認した。
【００３７】
（５）不正剥離試験
前記実施例２（４）の応答試験を実施した後、切断検知ラベル１の剥離操作を行って、切断検知用回路１５を切断し、遊技盤６１を閉鎖してから、パチンコ遊技機６の前面に配置してあるカード型アンテナパネル２に対して非接触応答試験を１０回行ったところ、全１０回とも、応答を行うことはできなかった。
【００３８】
【実施例３】
本実施例３では、図２に示す態様の切断検知ラベル１と、図３に示す態様（但し、第２パネル基材２７の代わりに剥離シートを使用した態様）の接着ラベル型アンテナパネル２と、リード線３とを含む本発明の開封検知器を作成した。
（１）切断検知ラベルの作成
前記実施例１（１）で作成した切断検知ラベル１を用いた。
【００３９】
（２）接着ラベル型アンテナパネルの作成
前記実施例１（２）で第２パネル基材２７として用いた前記発泡ポリエステルフィルムの片面に剥離性樹脂としてシリコーン樹脂により剥離処理した剥離シートの剥離処理面に感圧性接着剤を塗布したこと以外は前記実施例１（２）と同様にしてアンテナパネルを作成し、剥離シート付接着ラベル型アンテナパネル２を作成した。
【００４０】
（３）開封検知器の作成
前記実施例３（１）で作成した切断検知ラベル１の接続用端部１６と、前記実施例３（２）で作成した接着ラベル型アンテナパネル２の接続用端部２６とを、銅線にクリップタイプの接続端子を設けたリード線３で接続して、本発明による開封検知器を作成した。
【００４１】
（４）応答試験
前記実施例３（１）において作成した本発明による開封検知器の切断検知ラベル１から剥離シートを剥がし、パチンコ遊技機６のＲＯＭ収納ケース６２の開閉部６２ａを封印するように貼付した。続いて、前記実施例３（２）において作成した本発明による開封検知器の接着ラベル型アンテナパネル２から剥離シートを剥がし、パチンコ遊技機６の前面内側に貼付した。切断検知ラベル１の剥離操作を行う前に、パチンコ遊技機６の前面から接着ラベル型アンテナパネル２に対して非接触応答試験を１０回行ったところ、全１０回とも正常に応答を行うことを確認した。
【００４２】
（５）不正剥離試験
前記実施例３（４）の応答試験を実施した後、切断検知ラベル１の剥離操作を行って、切断検知用回路１５を切断し、遊技盤６１を閉鎖してから、パチンコ遊技機６の前面内側に貼付してある接着ラベル型アンテナパネル２に対して非接触応答試験を１０回行ったところ、全１０回とも、応答を行うことはできなかった。
【００４３】
【発明の効果】
本発明の開封検知器によれば、パチンコ遊技機などの遊技機の内部に設置するＲＯＭ収納ケースの封印シールの開封確認のように、外側からは応答することができない位置に貼付される封印シールの開封行為の有無を遠隔位置にて非接触状態で確認することができる。また、ＩＣチップなどのメモリを併用すると、日常の管理履歴を記憶することができ、不正剥離の追跡調査に役立てることができる。
【図面の簡単な説明】
【図１】本発明による開封検知器をパチンコ遊技機に設置した状態を、パチンコ遊技機の側面の一部を切り欠いて模式的に示す側断面図である。
【図２】本発明において使用する切断検知ラベルをＲＯＭ収納ケース表面に貼付した状態を示す断面図である。
【図３】本発明において使用するアンテナパネルの断面図である。
【図４】本実施例４で使用するアンテナパネルの回線配置を示す説明図である。
【符号の説明】
１・・・切断検知ラベル；          ２・・・アンテナパネル；
３・・・リード線；                ６・・・パチンコ遊技機；
１２・・・基材；
１２ａ・・基材の剥離剤層−接着剤層設置面；
１３・・・剥離剤層；              １４・・・接着剤層；
１４ａ・・剥離性部分；            １４ｂ・・非剥離性部分；
１５・・・切断検知用回路；        １６・・・接続用端部；
２２・・・第１パネル基材；        ２４・・・接着剤層；
２５・・・アンテナ回路；          ２６・・・接続用端部；
２７・・・第２パネル基材；        ６１・・・遊技盤；
６２・・・ＲＯＭ収納ケース；      ６２ａ・・開閉部；
６３・・・ガラス扉；              ６４・・・打球供給皿；
６５・・・操作ハンドル；          ７１・・・メモリー部；
７２・・・ジャンパ部。
【図１】
0004264206.tif 000002
【図２】
0004264206.tif 000003
【図３】
0004264206.tif 000004
【図４】
0004264206.tif 000005